(57)【要約】【課題】壁材に形成された貫通孔を違和感なく覆い隠す貫通孔隠しカバーを提供すること。【解決手段】天井壁等の壁材に形成された貫通孔Ｈを覆い隠すための貫通孔隠しカバー１であって、貫通孔を横断するように壁材裏側に配置される壁裏部材２と、貫通孔Ｈを隠す覆い部４を有し、壁材表側に配置されて壁裏部材２とともに壁材を挟持する壁表部材３と、からなり、覆い部４は、板状を成し、覆い部表面５および覆い部周縁における厚み方向の端面６に、貫通孔周縁の壁材表面と違和感のない意匠が施されている。【選択図】図１
2020045694.tif 000002
【特許請求の範囲】
【請求項１】
表面に模様や柄が施された天井壁等の壁材に形成された貫通孔を覆い隠すための貫通孔隠しカバーであって、
前記貫通孔を横断するように壁材裏側に配置される壁裏部材と、前記貫通孔を隠す覆い部を有し、前記壁材表側に配置されて前記壁裏部材とともに壁材を挟持する壁表部材と、からなり、
前記覆い部は、板状を成し、覆い部表面および覆い部周縁における厚み方向の端面には、前記貫通孔周縁の壁材表面と違和感のない意匠が施されていることを特徴とする貫通孔隠しカバー。
【請求項２】
前記厚み方向の端面は、覆い部表面から外側に向けて壁材に向かうように傾斜した傾斜面が形成され、当該傾斜面に前記覆い部表面と同一模様の意匠が施されていることを特徴とする請求項１に記載の貫通孔隠しカバー。
【請求項３】
天井壁等の壁材に形成された貫通孔を覆い隠す覆い部を有する貫通孔隠しカバーの製造方法であって、
貫通孔周縁の壁材表面を写真撮影する工程、または、貫通孔周縁の壁材表面と同一または類似する意匠の壁材表面を写真撮影する工程、と、
前記撮影データをもとに作成した意匠データを、前記貫通孔を覆う前記覆い部の表面に直接印刷、または、シートに印刷し当該シートを前記覆い部の表面に貼着する工程と、
からなる貫通孔隠しカバーの製造方法。
【請求項４】
天井壁等の壁材表側に配置されて前記壁材に形成された貫通孔を覆い隠す板状の覆い部と、貫通孔への固定手段と、を有する貫通孔隠しカバー本体と、
前記覆い部の表面および覆い部周縁における厚み方向の端面を包含する大きさおよび相似する形状を成し、表面に模様や柄、色彩が異なる意匠が施され、裏面に前記覆い部に貼着される貼着面を有した、表面の意匠のみが異なる複数種類のシート部材と、
からなる貫通孔隠しカバー装置。
【発明の詳細な説明】
【技術分野】
【０００１】
本発明は、天井壁等の壁材に形成された貫通孔を覆い隠すための貫通孔隠しカバー及び貫通孔隠しカバーの製造方法に関するものである。
【背景技術】
【０００２】
例えば、天井壁等に取り付けられる監視カメラや、ダウンライト等の照明器具は、天井壁に貫通孔を設けて取り付けられているが、既存の監視カメラや照明器具を撤去する際には、既設の貫通孔を覆い隠して塞ぐ必要がある。
【０００３】
上記の目的に使用される貫通孔隠しカバーとして、例えば、特許文献１に開示の貫通孔隠しカバー装置がある。特許文献１の貫通孔隠しカバー装置は、天井壁の貫通孔を覆い隠すカバー体を、天井壁を挟持することで設置されるものである。
【０００４】
また、目的に使用される貫通孔隠しカバーとして、特許文献２に開示のタイル化粧の封止具が知られている。特許文献２のタイル化粧の封止具は、タイル仕上げがなされている壁面に形成された貫通孔を封止するものであり、貫通孔が設けられている壁面の化粧タイルと同種のタイルを表面に取付けることができ、タイル仕上げがなされている壁面にマッチした外観を与えることできるものである。
【先行技術文献】
【特許文献】
【０００５】
【特許文献１】特開２０１８−１１９３３４
【特許文献２】実開平６−５９５２４号
【発明の概要】
【発明が解決しようとする課題】
【０００６】
ところが、特許文献１の貫通孔隠しカバー装置のように、覆い隠すカバー体が大型になると、その存在感が増し、見栄えが悪くなるという問題があった。その点、特許文献２のタイル化粧の封止具においては、その表面に貫通孔周囲と同種のタイルを取り付けることができる。しかし、このタイル化粧の封止具においては、タイルを取り付ける保持部が表面に露出していたり、表面の端縁（壁材と覆いカバーとの境界）の処理がなされておらず、逆にその箇所が際立ってしまって、見栄えが悪いものであった。
【０００７】
本発明の目的は、天井壁等の壁材に形成された貫通孔を見栄え良く覆い隠すことができる貫通孔隠しカバー及び貫通孔隠しカバーの製造方法を提供することにある。
【課題を解決するための手段】
【０００８】
上記問題を解決するための請求項１の発明は、表面に模様や柄が施された天井壁等の壁材に形成された貫通孔を覆い隠すための貫通孔隠しカバーであって、
前記貫通孔を横断するように壁材裏側に配置される壁裏部材と、前記貫通孔を隠す覆い部を有し、前記壁材表側に配置されて前記壁裏部材とともに壁材を挟持する壁表部材と、からなり、
前記覆い部は、板状を成し、覆い部表面および覆い部周縁における厚み方向の端面には、前記貫通孔周縁の壁材表面と違和感のない意匠が施されていることを特徴としている。
【０００９】
請求項１の発明によれば、表面に模様や柄が施された壁材に形成された貫通孔を覆い隠すように板状を成す覆い部を配置するとともに、壁材の表側と裏側に配置を挟持させることで設置される。この貫通孔を覆い隠す覆い部の表面および覆い部の周縁における厚み方向の端面に、貫通孔周縁の壁材表面と違和感のない意匠が施されているため、壁表側に露出する箇所の全体が目立つことないため、見栄え良く貫通孔を覆い隠すことができる。なお、「違和感のない意匠」とは、「同一または類似する意匠」であったり、「同一または近似する柄や模様」と表現することもできるが、要するに目立たないことを目的とした意匠ということである。
【００１０】
請求項２の発明は、請求項１の発明において、前記厚み方向の端面は、覆い部表面から外側に向けて壁材に向かうように傾斜した傾斜面が形成され、当該傾斜面に前記覆い部表面と同一模様の意匠が施されていることを特徴としている。
【００１１】
請求項２の発明によれば、厚み方向の端面に形成された傾斜面によって、覆い部の輪郭をぼかすようにしており、輪郭が際立たないようにしているとともに、当該傾斜面にも覆い部表面と同一模様の意匠が施されることで、より存在感を消して目立つことなく貫通孔を覆い隠すことができる。
【００１２】
請求項３の発明は、天井壁等の壁材に形成された貫通孔を覆い隠す覆い部を有する貫通孔隠しカバーの製造方法であって、
貫通孔周縁の壁材表面を写真撮影する工程、または、貫通孔周縁の壁材表面と同一または類似する意匠の壁材表面を写真撮影する工程、と、
前記撮影データをもとに作成した意匠データを、前記貫通孔を覆う前記覆い部の表面に直接印刷、または、シートに印刷し当該シートを前記覆い部の表面に貼着する工程と、からなることを要旨としている。
【００１３】
請求項３の発明によれば、覆い隠す貫通孔が形成された現場の壁材表面、または同一または類似する壁材表面を写真撮影し、当該撮影データをもとに、貫通孔を覆い隠す覆い部の表面に直接、または、シートに印刷しそのシートを覆い部の表面に貼着することで、貫通孔周縁の壁材表面と違和感のない意匠を、覆い部の表面に施すことができるため、目立たない貫通孔隠しカバーを製造することができる。
【００１４】
請求項４の発明は、天井壁等の壁材表側に配置されて前記壁材に形成された貫通孔を覆い隠す板状の覆い部と、貫通孔への固定手段と、を有する貫通孔隠しカバー本体と、
前記覆い部の表面および覆い部周縁における厚み方向の端面を包含する大きさおよび相似する形状を成し、表面に模様や柄、色彩が異なる意匠が施され、裏面に前記覆い部に貼着される貼着面を有した、表面の意匠のみが異なる複数種類のシート部材と、からなる貫通孔隠しカバー装置であることを要旨としている。
【００１５】
請求項４の発明によれば、貫通孔隠しカバー本体が有する板状の覆い部の表面およびその覆い部周縁における厚み方向の端面を包含する大きさ及び相似する形状を成すシート部材が複数種類用意されており、覆い隠す貫通孔の周縁に合わせたシート部材を選択して覆い部に貼着することができ、簡単にその場にあった貫通孔隠しカバーを形成することができる。
【図面の簡単な説明】
【００１６】
【図１】本発明に係る貫通孔隠しカバー１を示し、（ａ）はその正面図、（ｂ）はその底面図、（ｃ）はその背面図である。
【図２】貫通孔Ｈが形成された天井壁Ｗを示す。
【図３】第１実施形態の貫通孔隠しカバー１を設置する状態を示す斜視図である。
【図４】本発明に係る貫通孔隠しカバー１の覆い部４周縁における厚み方向の端面に傾斜面６ａが形成された実施例を示す。
【発明を実施するための形態】
【００１７】
以下、本発明の実施例１について更に詳細に説明する。本発明の貫通孔隠しカバー１は、図１に示されるように、天井壁等の壁材に形成された貫通孔を横断するように壁材裏側に配置される壁裏部材２と、貫通孔を隠す覆い部４を有し、壁材表側に配置されて壁裏部材とともに壁材を挟持する壁表部材３と、からな構成されている。覆い部４は、板状を成し、覆い部表面５および覆い部周縁における厚み方向の端面６には、表面に模様や柄が施された壁材に形成された貫通孔の周縁における壁材Ｗ表面と違和感のない意匠が施されている。
【００１８】
壁裏部材２は、バネ性を有する金属製であり、棒状体の中央部をループ状としたコイルばね状とし、後述する壁表部材３の裏面に立設された壁裏部材取付け部７に取り付けられている。そして、壁裏部材取付け部に取り付けられた自然状態でループ状とした中央部に対して壁表部材３から離れるように弧状をなし、さらに両端が壁表部材３の表面よりも突出するように構成されている。また、その両端は湾曲形成されて、壁材裏面に当接した際にすべりが良くなっている。
【００１９】
壁表部材３は、円盤板状を成す覆い部４と、その裏面に立設された壁裏部材取付け部７とを備える。覆い部４は、壁材に形成された貫通孔よりも大きい面積を有しており、裏面の一部が貫通孔の壁表周縁に当接し、壁裏部材とともに壁材を挟持するようにして配設されて、貫通孔を覆い隠す。
【００２０】
壁表部材３の覆い部４における覆い部表面５および覆い部周縁における厚み方向の端面６には、表面に模様や柄が施された壁材Ｗの表面であって、貫通孔Ｈ周縁の壁材Ｗ表面と違和感ない意匠が施されており、その存在感を薄れさせて目立たなく設置することが可能となる。例えば、図２に示すように、オフィス等の天井壁は「トラバーチン模様」が施された化粧壁が多く採用されており、本実施例においては、図１に示すように、覆い部表面５および覆い部周縁における厚み方向の端面６に「トラバーチン模様」が施されている。特に天井壁に設置された状態では、覆い部表面５のみならず端面６も視界に入りやすいが、この覆い部周縁における厚み方向の端面６にも、覆い部表面５から連続するように「トラバーチン模様」が施されており、端縁が目立つことがない。
【００２１】
このように構成された貫通孔隠しカバー１は、図３に示すように、バネ力に抗して壁裏部材２の両端を近接させて、壁材Ｗの貫通孔Ｈに壁裏部材２を挿入する。すると、壁裏部材２の弾性力により壁表部材３を引き上げて壁表部材３を壁材Ｗの表面に当接させるとともに壁材Ｗを表裏から挟持させることで、貫通孔Ｈを壁表部材３が覆い隠すように設置される。
【００２２】
本発明は、上記実施例に限るものではなく、例えば図４に示すように、覆い部周縁における厚み方向の端面を、覆い部表面５から外側に向けて壁材に向かうように傾斜した傾斜面６ａを形成し、この傾斜面６ａに覆い部表面５と同一模様の意匠を施してもよい。傾斜面６ａを形成することで、覆い部５の輪郭をぼかすようにしており、輪郭が際立たないようにしている。また、傾斜面６ａに覆い部表面５と同一模様の意匠が施しているため、より存在感を消して目立つことなく貫通孔を覆い隠すことができる。これにより覆い部の板厚を大きくしても、目立たせない状態で設置が可能である。
【００２３】
続いて、天井壁等の壁材に形成された貫通孔を覆い隠す覆い部を有する貫通孔隠しカバーの製造方法について説明する。まず、図２に示すように例えば不要となったダウンライトを撤去した後の貫通孔Ｈを確認し、その貫通孔Ｈ周縁の壁材表面と同一または類似する意匠の壁材表面を写真撮影する。天井壁は一般的に、同一の意匠が施された約９０ｃｍ角の化粧板が複数設置されている。そこで、貫通孔Ｈが形成された化粧板とは別の化粧板における、貫通孔Ｈが形成された位置とおおよそ同じ位置（例えば図２の点線で囲んだ範囲Ｄ）を写真撮影する。これにより、もともと貫通孔Ｈが存在していた箇所と同一または類似する意匠データを得ることができる。
【００２４】
そして、その撮影データをもとに貫通孔隠しカバーの覆い部の大きさなどに合わせる等して作成した意匠データを、その覆い部の表面に直接印刷することで、貫通孔を覆い隠す覆い部を有する貫通孔隠しカバーを製造することができる。
【００２５】
なお、作成する意匠データのための撮影データは、貫通孔周縁の壁材表面を写真撮影してもよいし、設置された隣接する別の天井壁に限らず、設置されていない同一の意匠を有する別の化粧壁材のの壁材表面を写真撮影することにより得ても良い。パターンがきまっている化粧壁材やクロス等の壁紙においては、貫通孔周縁のみの意匠からでも、貫通孔がなければ存在するであろう意匠（模様や柄）を推測できる。
【００２６】
また、作成した意匠データを、貫通孔を覆う覆い部の表面に直接印刷する方法に限らず、シートに印刷し、そのシートを覆い部の表面に貼着してもよい。このシートは粘着性を有するシール材であると、より簡単に貼着することができる。
【００２７】
このような製造方法によれば、図２のように壁材の中央に形成された貫通孔Ｈに限らずに、たとえば、隣接する壁材の端縁が構成する目地に貫通孔Ｈが形成されているような場合であっても、目立つことのない貫通孔隠しカバーの製造が可能となる。さらには、上記製造方法によれば、貫通孔が形成された壁材の模様や柄に柔軟に対応することができるし、壁材の日焼け等の黄ばみのような変色があっても、写真撮影により、近い色に製造することができる。
【００２８】
なお、この製造方法において、貫通孔隠しカバーは貫通孔に対する固定手段を有しており、その固定手段は、実施例１に示したように壁材を挟持するようにして固定してもよいし、目立たなければビスを用いても良いし、接着による設置であってもよい。また、印刷により意匠が設けられる覆い部は、実施例１に示すように板状を成すものであっても良いし、立体であっても良いが、貫通孔を覆い隠す大きさに設定される。また、実施例１のように板状をなす覆い部を採用した場合に、印刷される範囲は、覆い部の表面のみであってもよいし、覆い部周縁における厚み方向の端面を含んでも良い。
【００２９】
なお、上記例による貫通孔隠しカバーは、板状の覆い部と貫通孔への固定手段と、を有する貫通孔隠しカバー本体と、覆い部に貼着されるシート部材とからなる装置ともいえる。そして、シート部材は、撮影データをもとに作成した意匠データを印刷する例を示したが、別例としてシート部材を覆い部の表面および覆い部周縁における厚み方向の端面を包含する大きさおよび相似する形状とし、その表面に模様や柄、色彩が異なる意匠が施され、裏面に前記覆い部に貼着される貼着面を有した、表面の意匠のみが異なる複数種類のシート部材から構成されていてもよい。すなわち、この別例によれば、覆い部の表面が無地であったり、何らかの模様や柄が施された貫通孔隠しカバー本体に対して、複数種類の意匠からなる複数のシート部材から、設置する貫通孔の周囲に応じた意匠が施されたシート部材を選択し、貫通孔隠しカバー本体に貼着することで、容易に目立たない貫通孔隠しカバーが作成できる。
【００３０】
本発明は、上記実施例および製造方法に限らず、以下のように変更しても良い。
・例えば、特許文献１のように壁表部材に機器等を据え付けても良い。この場合、覆い部は機器の荷重に耐える強度となるように、その厚みが大きくすることが考えられるが、その厚み方向の端面にも意匠が施されることでより目立たなく設置することが可能となる。
・例えば、実施例１において壁材への挟持手段としてバネ力を利用した例を示したが、特許文献１のように挟持手段としてボルトを用いる等、壁材を挟持する手段は問わない。
・壁材に施された意匠として「トラバーチン模様」を例にあげたが、表面に施された模様や柄はこれに限るものではない。
・覆い部や貫通孔は、円形に限らず、多角形等その形状は問わないし、貫通孔に相似する形状でなくても良い。
【符号の説明】
【００３１】
１・・貫通孔隠しカバー、２・・壁裏部材、３・・壁表部材、４・・覆い部、５・・覆い部表面、６・・端面、６ａ・・傾斜面、壁材・・Ｗ、貫通孔・・Ｈ
【図１】
2020045694.tif 000003
【図２】
2020045694.tif 000004
【図３】
2020045694.tif 000005
【図４】
2020045694.tif 000006